(57)【要約】【課題】測定動作を繰り返すことにより装置内に付着した付着物を容易に除去できるサンプラ、及び、当該サンプラを備えた全有機体炭素測定装置を提供する。【解決手段】、全有機体炭素測定装置１のサンプラ５は、ワイパー５６を備える。全有機体炭素測定装置１において測定動作が繰り返されると、ワイパー５６がカバー５２の内面に沿って摺接される。そして、カバー５２に付着した付着物がワイパー５６によって除去される。そのため、ワイパー５６によってカバー５２の内面に付着する付着物を容易に除去できる。その結果、全有機体炭素測定装置１において、付着物が測定に悪影響を及ぼすことを抑制でき、測定精度が低下することを抑制できる。【選択図】  図１
2019074457.tif 000002
【特許請求の範囲】
【請求項１】
無機体炭素測定装置に備えられた反応部に固体試料を導入するためのサンプラであって、
固体試料を収容する収容室が内部に形成された試料設置部と、
前記収容室を開閉するカバーと、
前記収容室内の固体試料に酸溶液を添加する酸溶液添加部と、
前記収容室内の固体試料を前記反応部に導入する試料導入機構と、
前記カバーにおける前記収容室側の内面に摺接して、前記内面に対する付着物を除去するワイパーとを備えることを特徴とするサンプラ。
【請求項２】
前記ワイパーを変位させる変位機構をさらに備え、
前記カバーが開状態のときに前記変位機構により前記ワイパーを変位させれば当該ワイパーが前記カバーの内面に摺接し、前記カバーが閉状態のときに前記変位機構により前記ワイパーを変位させても当該ワイパーが前記カバーの内面に摺接しないことを特徴とする請求項１に記載のサンプラ。
【請求項３】
前記変位機構を自動で変位させることにより、前記ワイパーを前記カバーの内面に摺接させる変位制御部をさらに備えることを特徴とする請求項２に記載のサンプラ。
【請求項４】
前記ワイパーは、前記試料導入機構の動作に連動して前記カバーの内面に摺接することを特徴とする請求項１に記載のサンプラ。
【請求項５】
前記試料導入機構は、前記収容室内の固体試料を前記反応部に導入する際に変位する変位部材を有し、
前記ワイパーは、前記変位部材に取り付けられていることを特徴とする請求項４に記載のサンプラ。
【請求項６】
前記カバーは、前記変位部材の変位方向に沿ってスライドすることにより前記収容室を開閉し、
前記カバーが開状態のときに前記変位部材を変位させれば前記ワイパーが前記カバーの内面に摺接し、前記カバーが閉状態のときに前記変位部材を変位させても前記ワイパーが前記カバーの内面に摺接しないことを特徴とする請求項５に記載のサンプラ。
【請求項７】
前記変位部材を自動で変位させることにより、前記ワイパーを前記カバーの内面に摺接させる変位制御部をさらに備えることを特徴とする請求項５又は６に記載のサンプラ。
【請求項８】
前記ワイパーが前記カバーの内面に摺接して当該内面に対する付着物が除去された回数をカウントするカウント制御部と、
前記カウント制御部によりカウントされた回数に基づいて報知を行う報知制御部とをさらに備えることを特徴とする請求項１〜７のいずれか一項に記載のサンプラ。
【請求項９】
請求項１〜８のいずれか一項に記載のサンプラと、
前記サンプラにより固体試料が導入される反応部を有する無機体炭素測定装置と、
固体試料が導入される燃焼部を有する全炭素測定装置とを備え、
前記無機体炭素測定装置により測定される無機体炭素、及び、前記全炭素測定装置により測定される全炭素に基づいて、固体試料に含まれる全有機体炭素を測定する全有機体炭素測定装置。
【発明の詳細な説明】
【技術分野】
【０００１】
本発明は、無機体炭素測定装置に備えられた反応部に固体試料を導入するためのサンプラ、並びに、当該サンプラを備えた全有機体炭素測定装置に関するものである。
【背景技術】
【０００２】
従来より、河川水、湖沼水、海洋水、雨水及び地下水などの環境水の他、各種試料に含まれる全有機体炭素を測定するための全有機体炭素測定装置が利用されている。
【０００３】
全有機体炭素測定装置として、試料に含まれる無機体炭素を測定するための無機体測定装置と、試料に含まれる全炭素を測定するための全炭素測定装置とを備える装置が知られれている。この種の全有機体炭素測定装置では、無機体炭素測定装置で測定した無機体炭素、及び、全炭素測定装置で測定した全炭素に基づいて、試料に含まれる全有機体炭素が測定される（例えば、下記特許文献１参照）。
【０００４】
特許文献１に記載の全有機体炭素測定装置において、無機体炭素測定装置は、試料を設置するための試料設置部と、試料に酸溶液を添加するための酸溶液添加部と、試料を加熱するための加熱反応部とを備えている。無機体炭素測定装置では、まず、試料設置部に試料が設置される。また、試料設置部の試料に対して、酸溶液添加部から酸溶液が添加される。酸溶液が添加された後の試料は、加熱反応部内に移動される。その後、加熱反応部で試料が加熱されることにより、試料から二酸化炭素が発生する。そして、発生した二酸化炭素に基づいて試料に含まれる無機体炭素が測定される。
【先行技術文献】
【特許文献】
【０００５】
【特許文献１】特許第５９９８９４０号公報
【発明の概要】
【発明が解決しようとする課題】
【０００６】
上記のような無機体炭素測定を用いて測定を行う場合において、測定精度が低下する可能性があるという不具合があった。具体的には、上記のような無機体炭素測定装置において、試料は、試料設置部内に形成された収容室に配置される。また、無機体炭素測定装置は、収容室を開閉するためのカバーを備えている。そして、無機体炭素測定装置では、収容室内に試料が設置された状態で、カバーによって収容室が閉じられる。この状態で、試料設置部の試料に対して、酸溶液添加部から酸溶液が添加される。酸溶液が添加された後の試料は、上記したように、加熱反応部内に移動されて加熱される。この一連の動作が繰り返されると、カバーの内面に酸溶液が付着し、その状態で、次の測定動作が行われる。この場合、カバーの内面に付着した酸溶液の成分が、測定に悪影響を及ぼし、測定精度が低下する可能性がある。
【０００７】
そのため、ユーザが手動によりカバーの内面を定期的に拭くことで、このような不具合を解消することが検討される。しかしながら、このような方法では、ユーザの作業が煩雑化し、作業性が低下してしまう。
【０００８】
本発明は、上記実情に鑑みてなされたものであり、測定動作を繰り返すことにより装置内に付着した付着物を容易に除去できるサンプラ、及び、当該サンプラを備えた全有機体炭素測定装置を提供することを目的とする。
【課題を解決するための手段】
【０００９】
（１）本発明に係るサンプラは、無機体炭素測定装置に備えられた反応部に固体試料を導入するためのサンプラである。前記サンプラは、試料設置部と、カバーと、酸溶液添加部と、試料導入機構と、ワイパーとを備える。前記試料設置部は、固体試料を収容する収容室が内部に形成されている。前記カバーは、前記収容室を開閉する。前記酸溶液添加部は、前記収容室内の固体試料に酸溶液を添加する。前記試料導入機構は、前記収容室内の固体試料を前記反応部に導入する。前記ワイパーは、前記カバーにおける前記収容室側の内面に摺接して、前記内面に対する付着物を除去する。
【００１０】
このような構成によれば、測定動作が繰り返されることにより、カバーの内面に酸溶液が付着物として付着した場合には、ワイパーをカバーの内面に摺接させることで、その付着物（酸溶液）を除去できる。
そのため、ワイパーによってカバーの内面に付着する付着物を容易に除去できる。
このように、本発明に係るサンプラによれば、測定動作を繰り返すことにより装置内に付着した付着物を容易に除去できる。
【００１１】
（２）また、前記サンプラは、変位機構をさらに備えてもよい。前記変位機構は、前記ワイパーを変位させる。前記サンプラは、前記カバーが開状態のときに前記変位機構により前記ワイパーを変位させれば当該ワイパーが前記カバーの内面に摺接し、前記カバーが閉状態のときに前記変位機構により前記ワイパーを変位させても当該ワイパーが前記カバーの内面に摺接しないものであってもよい。
【００１２】
このような構成によれば、カバーの開閉動作と、変位機構によるワイパーの変位動作とを組み合わせることにより、ワイパーをカバーの内面に摺接させて、カバー内面の付着物を除去できる。
そのため、簡易な動作で、カバー内面の付着物を除去できる。
また、カバーが開状態のときのみワイパーが摺接するため、ワイパーの摩耗を抑制できる。
【００１３】
（３）また、前記サンプラは、変位制御部をさらに備えてもよい。前記変位制御部は、前記変位機構を自動で変位させることにより、前記ワイパーを前記カバーの内面に摺接させる。
【００１４】
このような構成によれば、変位制御部により変位機構を自動で変位させるため、ユーザの作業が煩雑化することを抑制できる。
そのため、作業性が低下することを抑制できる。
【００１５】
（４）また、前記ワイパーは、前記試料導入機構の動作に連動して前記カバーの内面に摺接してもよい。
【００１６】
このような構成によれば、ワイパーをカバーの内面に容易に摺接させることができる。
【００１７】
（５）また、前記試料導入機構は、変位部材を有してもよい。前記変位部材は、前記収容室内の固体試料を前記反応部に導入する際に変位する。前記ワイパーは、前記変位部材に取り付けられていてもよい。
【００１８】
このような構成によれば、ワイパーを変位させるための機構を簡易に構成できる。
【００１９】
（６）また、前記カバーは、前記変位部材の変位方向に沿ってスライドすることにより前記収容室を開閉してもよい。前記サンプラは、前記カバーが開状態のときに前記変位部材を変位させれば前記ワイパーが前記カバーの内面に摺接し、前記カバーが閉状態のときに前記変位部材を変位させても前記ワイパーが前記カバーの内面に摺接しないものであってもよい。
【００２０】
このような構成によれば、カバーのスライド動作と、ワイパーの変位動作（変位部材の変位動作）とを組み合わせることにより、ワイパーをカバーの内面に摺接させて、カバー内面の付着物を除去できる。
そのため、簡易な動作で、カバー内面の付着物を除去できる。
また、カバーが開状態のときのみワイパーが摺接するため、ワイパーの摩耗を抑制できる。
【００２１】
（７）前記サンプラは、変位制御部をさらに備えてもよい。前記変位制御部は、前記変位部材を自動で変位させることにより、前記ワイパーを前記カバーの内面に摺接させる。
【００２２】
このような構成によれば、変位制御部により変位部材を自動で変位させるため、ユーザの作業が煩雑化することを抑制できる。
そのため、作業性が低下することを抑制できる。
【００２３】
（８）前記サンプラは、カウント制御部と、報知制御部とをさらに備えてもよい。前記カウント制御部は、前記ワイパーが前記カバーの内面に摺接して当該内面に対する付着物が除去された回数をカウントする。前記報知制御部は、前記カウント制御部によりカウントされた回数に基づいて報知を行う。
【００２４】
このような構成によれば、ワイパーのメンテナンス時期を適切に報知できる。例えば、ワイパーが、着脱可能な除去部材を備える構成である場合には、この除去部材の交換時期を適切に報知できる。
【００２５】
（９）本発明に係る全有機体炭素測定装置は、前記サンプラと、無機体炭素測定装置と、全炭素測定装置とを備える。前記無機体炭素測定装置は、反応部を有する。前記反応部には、前記サンプラにより固体試料が導入される。前記全炭素測定装置は、燃焼部を有する。前記燃焼部には、固体試料が導入される。前記全有機体炭素測定装置では、前記無機体炭素測定装置により測定される無機体炭素、及び、前記全炭素測定装置により測定される全炭素に基づいて、固体試料に含まれる全有機体炭素を測定する。
【００２６】
このような構成によれば、測定動作を繰り返すことによりカバーに付着した付着物を容易に除去できる。そのため、付着物が測定に悪影響を及ぼすことを抑制でき、測定精度が低下することを抑制できる。
【発明の効果】
【００２７】
本発明によれば、カバーの内面に付着した付着物を、ワイパーをカバーの内面に摺接させることで除去できる。そのため、ワイパーによってカバーの内面に付着する付着物を容易に除去できる。
【図面の簡単な説明】
【００２８】
【図１】本発明の第１実施形態に係る全有機体炭素測定装置の構成例を示した概略図である。
【図２Ａ】無機体炭素測定装置及びサンプラを示した側断面図であって、サンプラのカバーが閉状態に位置する状態を示している。
【図２Ｂ】無機体炭素測定装置及びサンプラを示した側断面図であって、サンプラのカバーが閉状態に位置する状態を示している。
【図２Ｃ】無機体炭素測定装置及びサンプラを示した側断面図であって、サンプラのカバーが開状態に位置し、かつ、移動棒が試料設置部に進入する状態を示している。
【図３】制御部及びその周辺の部材の電気的構成を示したブロック図である。
【図４】制御部の制御動作の一例を示したフローチャートである。
【図５】本発明の第２実施形態に係る全有機体炭素測定装置の無機体炭素測定装置及びサンプラの構成例を示した平面図である。
【発明を実施するための形態】
【００２９】
１．全有機体炭素測定装置の構成
図１は、本発明の第１実施形態に係る全有機体炭素測定装置１の構成例を示した概略図である。
全有機体炭素測定装置１は、全炭素測定装置２及び無機体炭素測定装置３を備えており、全炭素測定装置２を用いて測定された全炭素（ＴＣ：Total Carbon）と、無機体炭素測定装置３を用いて測定された無機体炭素（ＩＣ：Inorganic Carbon）とに基づいて、試料に含まれる全有機体炭素を測定することができる。なお、ＴＯＣは、ＴＯＣ＝ＴＣ−ＩＣの関係式を用いて算出することができる。
【００３０】
また、全有機体炭素測定装置１は、全炭素測定装置２に試料を導入するためのサンプラ４と、無機体炭素測定装置３に試料を導入するためのサンプラ５とを備えている。
サンプラ４は、例えば、試料設置部４１と、カバー４２と、試料導入機構４３とを備えている。
【００３１】
試料設置部４１は、固体試料を載せた試料ボート４５を設置するためのものである。試料設置部４１は、その内部に収容室４１１が形成されている。収容室４１１は、試料設置部４１の上方から下方に向かって窪む凹部として形成されている。
【００３２】
カバー４２は、試料設置部４１の上方に設けられている。カバー４２は、水平方向に延びる平板状に形成されている。カバー４２は、例えば、水平方向に延びるレール（図示せず）にスライド移動可能な状態で保持されている。カバー４２は、例えば、ギヤを介してモータなどの駆動源から駆動力が付与されることにより、収容室４１１を閉鎖する閉状態と、収容室４１１を開放する開状態との間をスライド移動する。なお、図１では、カバー４２が閉状態に位置する状態が示されている。
【００３３】
試料導入機構４３は、試料設置部４１に設置された試料ボート４５（固体試料）を、全炭素測定装置２に導入するためのものである。試料導入機構４３は、移動棒４３１と、ボート保持部４３２とを備えている。
【００３４】
移動棒４３１は、長尺な直線状に形成されている。移動棒４３１は、カバー４２の移動方向に沿って延びている。移動棒４３１は、その一部が、試料設置部４１の外壁を貫通して、収容室４１１内に配置されている。移動棒４３１は、例えば、ギヤを介してモータなどの駆動源から駆動力が付与されることにより、試料設置部４１内に進入する状態と、試料設置部４１内から退出する状態との間をスライド移動する。移動棒４３１の移動方向は、カバー４２の移動方向と一致している。
【００３５】
ボート保持部４３２は、移動棒４３１の先端（収容室４１１内に配置される移動棒４３１の先端）に取り付けられている。ボート保持部４３２には、下方に向かって窪む凹部が形成されている。
【００３６】
全炭素測定装置２は、燃焼部２１を備えている。燃焼部２１は、試料設置部４１に隣接している。燃焼部２１は、試料ボート４５上の固体試料を燃焼するためのものである。燃焼部２１は、電気炉２１１と、燃焼管２１２とを備えている。
【００３７】
電気炉２１１は、水平方向に延びる筒状に形成されている。電気炉２１１は、例えば、９００℃の温度を保つように構成されている。電気炉２１１には、水平方向に窪む凹部が形成されている。
【００３８】
燃焼管２１２は、例えば、硬質ガラスからなり、水平方向に延びる筒状に形成されている。燃焼管２１２は、電気炉２１１内（電気炉２１１の凹部内）に配置されている。燃焼管２１２の先端部は、電気炉２１１外に突出しており、接続管を介して、冷却管７１に接続されている。燃焼管２１２内には、例えば、酸化触媒２２が充填されている。燃焼管２１２の基端部は、試料設置部４１に接続されている。試料設置部４１の水平方向の一端部には、開口が形成されており、この開口を介して、試料設置部４１の収容室４１１と、燃焼管２１２の内部空間とが連通している。
【００３９】
全炭素測定装置２を用いて測定を行う場合には、まず、カバー４２を開状態にして、収容室４１１を開放する。また、収容室４１１内には、試料導入機構４３のボート保持部４３２が配置されている。この状態で、固体試料を載せた試料ボート４５が収容室４１１内に設置される。このとき、試料ボート４５は、収容室４１１内のボート保持部４３２に保持される。なお、試料ボート４５は、例えば、セラミックにより形成することができるが、これに限らず、耐熱性を有する他の各種材料により形成することが可能である。
【００４０】
この状態から、移動棒４３１が試料設置部４１側に向かって進出されることで、試料ボート４５が、ボート保持部４３２とともに燃焼管２１２内に挿入される。そして、試料ボート４５上の固体試料は、燃焼部２１において燃焼される。
【００４１】
燃焼管２１２内に挿入された試料ボート４５上の試料に含まれる有機物は、酸化触媒２２の作用により酸化され、試料に含まれる有機物の量に応じた二酸化炭素が生じる。試料設置部４１内には、支燃ガスとしての機能を兼ねるキャリアガスが、カバー４２を介して供給されるようになっている。キャリアガスは、例えば、５００ｍＬ／ｍｉｎの流量で連続的に供給されるようになっている。燃焼管２１２内で生じた二酸化炭素は、キャリアガスとともに冷却管７１へと送られ、当該冷却管７１において冷却された後、ガス流路７２を介してドレンセパレータ６へと送られる。
【００４２】
サンプラ５は、例えば、試料設置部５１と、カバー５２と、試料導入機構５３と、酸溶液添加部５４とを備えている。
試料設置部５１は、固体試料を載せた試料ボート５５を設置するためのものである。試料設置部５１は、その内部に収容室５１１が形成されている。収容室５１１は、試料設置部５１の上方から下方に向かって窪む凹部として形成されている。
【００４３】
カバー５２は、試料設置部５１の上方に設けられている。カバー５２は、水平方向に延びる平板状に形成されている。カバー５２は、例えば、水平方向に延びるレール（図示せず）にスライド移動可能な状態で保持されている。カバー５２は、例えば、ギヤを介してモータなどの駆動源から駆動力が付与されることにより、収容室５１１を閉鎖する閉状態と、収容室５１１を開放する開状態との間をスライド移動する。なお、図１では、カバー５２が閉状態に位置する状態が示されている。
【００４４】
試料導入機構５３は、試料設置部５１に設置された試料ボート５５（固体試料）を、無機体炭素測定装置３に導入するためのものである。試料導入機構５３は、移動棒５３１と、ボート保持部５３２とを備えている。
【００４５】
移動棒５３１は、長尺な直線状に形成されている。移動棒５３１は、カバー５２の移動方向に沿って延びている。移動棒５３１は、その一部が、試料設置部５１の外壁を貫通して、収容室５１１内に配置されている。移動棒５３１は、例えば、ギヤを介してモータなどの駆動源から駆動力が付与されることにより、試料設置部５１内に進入する状態と、試料設置部５１内から退出する状態との間をスライド移動する。移動棒５３１の移動方向は、カバー４２の移動方向と一致している。移動棒５３１が、変位部材の一例である。また、移動棒５３１、ギヤ及びモータなどが変位機構の一例である。
【００４６】
ボート保持部５３２は、移動棒５３１の先端（収容室５１１内に配置される移動棒５３１の先端）に取り付けられている。ボート保持部５３２には、下方に向かって窪む凹部が形成されている。
【００４７】
酸溶液添加部５４は、試料ボート５５上の固体試料に酸溶液を添加するためのものである。酸溶液添加部５４は、例えば、酸溶液を吐出可能な分注器５４１を備えている。分注器５４１の吐出口は、カバー５２を介して試料設置部５１内に連通している。酸溶液は、例えば、不揮発性酸の一例であるリン酸などであるが、これに限られるものではない。
【００４８】
無機体炭素測定装置３は、反応部３１を備えている。反応部３１は、試料設置部５１に隣接するように設けられている。反応部３１は、試料ボート５５上の固体試料を加熱するためのものである。反応部３１は、電気炉３１１と、反応管３１２とを備えている。
【００４９】
電気炉３１１は、水平方向に延びる筒状に形成されている。電気炉３１１は、例えば、２００℃の温度を保つように構成されている。電気炉３１１には、水平方向に窪む凹部が形成されている。
【００５０】
反応管３１２は、例えば、硬質ガラスからなり、水平方向に延びる筒状に形成されている。反応管３１２は、電気炉３１１内（電気炉３１１の凹部内）に配置されている。反応管３１２の先端部は、電気炉３１１外に突出しており、ガス流路７４に接続されている。反応管３１２の基端部は、試料設置部５１に接続されている。試料設置部５１の水平方向の一端部には、開口が形成されており、この開口を介して、試料設置部５１の収容室５１１と、反応管３１２の内部空間とが連通している。
【００５１】
無機体炭素測定装置３を用いて測定を行う場合には、まず、カバー５２を開状態にして、収容室５１１を開放する。また、収容室５１１内には、試料導入機構５３のボート保持部５３２が配置されている。この状態で、固体試料を載せた試料ボート５５が収容室５１１内に設置される。このとき、試料ボート５５は、収容室５１１内のボート保持部５３２に保持される。なお、試料ボート５５は、例えば、セラミックにより形成することができるが、これに限らず、耐熱性を有する他の各種材料により形成することが可能である。
その後、カバー５２が閉状態となる。この状態で、分注器２４１が駆動されて、試料ボート５５上の固体試料に酸溶液が添加（滴下）される。
【００５２】
そして、移動棒５３１が試料設置部５１側に向かって進出されることで、試料ボート５５は、ボート保持部５３２とともに反応管３１２内に挿入される。そして、試料ボート５５上の固体試料は、反応部３１において加熱される。
反応管３１２内に挿入された試料ボート５５上の試料は、酸溶液と反応し、試料に含まれる無機体炭素の量に応じた二酸化炭素が生じる。
【００５３】
サンプラ５は、ドレンセパレータ６及びガス流路７３を介して、上記の全炭素測定装置２に直列に接続されている。これにより、全炭素測定装置２から流出するキャリアガスを、ドレンセパレータ６及びガス流路７３を介してサンプラ５に供給することができる。
【００５４】
サンプラ５からのキャリアガスは、カバー５２を介して試料設置部５１内に供給される。反応管３１２内で生じた二酸化炭素は、上記のようにして送られてくるキャリアガスとともに、ガス流路７４を介してドレンセパレータ６へと送られる。
【００５５】
ドレンセパレータ６は、全炭素測定装置２の燃焼部２１からガス流路７２を介して送られてくるガスが通過する第１分離部６１と、無機体炭素測定装置３の反応部３１からガス流路７４を介して送られてくるガスが通過する第２分離部６２とを備えている。各分離部６１、６２では、ガスに含まれる水分がガスから分離される。そして、分離された水分は、各分離部６１、６２の下部に設けられた開口部６１１、６２１からドレンポット６３内に回収される。
【００５６】
ドレンセパレータ６には、二酸化炭素を検出するための検出部８が接続されている。検出部８は、例えば、赤外線式二酸化炭素検出器により構成することができるが、これに限られるものではない。全炭素を測定する際には、全炭素測定装置２の燃焼管２１２内で試料を燃焼させることにより生じた二酸化炭素をキャリアガスとともに検出部８へと送り、検出部８で二酸化炭素を検出することにより、試料に含まれる全炭素（ＴＣ）を測定することができる。一方、無機体炭素を測定する際には、無機体炭素測定装置３の反応管３１２内で試料を反応させることにより生じた二酸化炭素をキャリアガスとともに検出部８へと送り、検出部８で二酸化炭素を検出することにより、試料に含まれる無機体炭素（ＩＣ）を測定することができる。
【００５７】
そして、全有機体炭素測定装置１では、試料に含まれる全有機体炭素（ＴＯＣ）を算出するための処理が行われる。すなわち、全炭素測定装置２による測定時に検出部８で検出された全炭素（ＴＣ）と、無機体炭素測定装置３による測定時に検出部８で検出された無機体炭素（ＩＣ）とに基づいて、ＴＯＣ＝ＴＣ−ＩＣの関係式により、試料に含まれる全有機体炭素（ＴＯＣ）が算出される。
【００５８】
このような測定動作が繰り返されると、サンプラ５のカバー５２の内面に酸溶液が付着し、その状態で、次の測定動作が行われることがある。この場合、カバー５２に付着した酸溶液の成分が、測定に悪影響を及ぼし、測定精度が低下してしまう。そのため、全有機体炭素測定装置１は、このような不具合を解消するために、以下の構成を備えるとともに、以下の制御動作を行っている。
【００５９】
２．サンプラの構成
図２Ａは、無機体炭素測定装置及３びサンプラ５を示した側断面図であって、サンプラ５のカバー５２が閉状態に位置する状態を示している。
サンプラ５は、上記した構成に加えて、ワイパー５６を備えている。
ワイパー５６は、試料導入機構５３の移動棒５３１の中央部に取り付けられている。ワイパー５６は、取付部５６１と、摺接部５６２とを備えている。
取付部５６１は、試料導入機構５３の移動棒５３１の中央部に固定されている。取付部５６１は、移動棒５３１から上方に向かって突出している。
【００６０】
摺接部５６２は、取付部５６１の上面に取り付けられている。摺接部５６２は、例えば、不織布からなり、取付部５６１に対して着脱可能である。なお、摺接部５６２を、ゴムなどの他の材料によって形成することも可能である。
上下方向において、ワイパー５６の上面（摺接部５６２の上面）は、カバー５２の下面とほぼ同一の位置に配置されている。
【００６１】
詳しくは後述するが、ワイパー５６は、試料導入機構５３の移動棒５３１が試料設置部５１内に進入した状態においては、試料設置部５１に近接し、試料導入機構５３の移動棒５３１が試料設置部５１内から退出した状態（図２Ａに示す状態）においては、試料設置部５１と間隔を隔てて離間する。
【００６２】
３．制御部及びその周辺の部材の電気的構成
図３は、制御部及びその周辺の部材の電気的構成を示したブロック図である。
サンプラ５は、上記したカバー５２、移動棒５３１（試料導入機構５３）に加えて、表示部５７及び制御部５８を備えている。
【００６３】
表示部５７は、例えば、液晶表示器により構成される。
制御部５８は、例えば、ＣＰＵ（Central Processing Unit）を含む構成である。制御部５８は、検出部８、カバー５２（カバー５２に駆動力を付与するモータ）、表示部５７及び移動棒５３１（移動棒５３１に駆動力を付与するモータ）と電気的に接続されている。制御部５８は、ＣＰＵがプログラムを実行することにより、変位制御部５８１、カウント制御部５８２及び報知制御部５８３などとして機能する。
【００６４】
変位制御部５８１は、検出部８からの検出信号に基づいて、カバー５２（カバー５２に駆動力を付与するモータ）、及び、移動棒５３１（移動棒５３１に駆動力を付与するモータ）の動作を制御する。すなわち、カバー５２及び移動棒５３１のそれぞれは、変位制御部５８１の制御により、自動で変位される。
カウント制御部５８２は、変位制御部５８１がカバー５２及び移動棒５３１の動作を制御したことに基づいて、カウントを行う。
報知制御部５８３は、カウント制御部５８２が行うカウントに基づいて、表示部５７に所定の表示を行わせる。
【００６５】
４．制御部の制御動作
図４は、制御部５８の制御部の制御動作の一例を示したフローチャートである。
全有機体炭素測定装置１において、測定動作が繰り返されると、以下のようにして、ワイパー５６の拭き取り動作が行われる。
【００６６】
具体的には、全有機体炭素測定装置１において測定動作が完了した直後は、図２Ａに示すように、カバー５２が閉状態となり、かつ、試料導入機構５３の移動棒５３１が試料設置部５１から退出した状態が維持される。この状態では、ワイパー５６は、試料設置部５１（カバー５２）と間隔を隔てて離間している。なお、この状態から、移動棒５３１を試料設置部５１内に進入させるようにスライド移動させたとしても、ワイパー５６（摺接部５６２）は、カバー５２には、当接しない。
【００６７】
全有機体炭素測定装置１において一連の測定動作が完了すると、変位制御部５８１は、検出部８からの検出信号（測定動作中に検出された検出信号）に基づいて、全有機体炭素測定装置１において測定動作が行われた回数（累積回数）を算出する。全有機体炭素測定装置１における測定動作の回数（累積回数）が閾値を超えない場合には（ステップＳ１０１でＮＯ）、拭き取り動作は行われずに、次の測定動作が開始される。
【００６８】
一方、全有機体炭素測定装置１における測定動作の回数（累積回数）が閾値を超える所定回数となると（ステップＳ１０１でＹＥＳ）、変位制御部５８１は、カバー５２をスライド移動させて開状態に位置させる（ステップＳ１０２）。
【００６９】
図２Ｂは、無機体炭素測定装置３及びサンプラ５を示した側断面図であって、サンプラ５のカバー５２が開状態に位置する状態を示している。図２Ｂに示す状態では、サンプラ５が開状態に位置して収容室５１１が開放されている。
この状態から、変位制御部５８１は、移動棒５３１を、試料設置部５１側にスライド移動させて試料設置部５１内に進入させる（ステップＳ１０３）。
【００７０】
図２Ｃは、無機体炭素測定装置３及びサンプラ５を示した側断面図であって、サンプラ５のカバー５２が開状態に位置し、かつ、移動棒５３１が試料設置部５１に進入する状態を示している。
【００７１】
このように、サンプラ５のカバー５２が開状態に位置した状態を維持しながら、移動棒５３１を試料設置部５１側にスライド移動させると、ワイパー５６が、移動棒５３１とともに（移動棒５３１に連動して）試料設置部５１側にスライド移動する。
【００７２】
このとき、ワイパー５６の摺接部５６２は、カバー５２の下面（内面）に当接するとともに、カバー５２の下面（内面）の一端部側（図２Ｃにおける右端部側）に向かって移動する。
【００７３】
その後、変位制御部５８１は、移動棒５３１を、試料設置部５１から退出するようにスライド移動させる（ステップＳ１０４）。そして、図２Ｂに示すように、カバー５２が開状態に位置し、かつ、移動棒５３１が試料設置部５１から退出した状態となる。
【００７４】
このとき、ワイパー５６の摺接部５６２は、カバー５２の下面（内面）に当接しながら、カバー５２の下面（内面）の他端部側（図２Ｃにおける左端部側）に向かって移動する。
【００７５】
このようにして、ワイパー５６の摺接部５６２は、カバー５２の下面（内面）に摺接する。具体的には、ワイパー５６の摺接部５６２は、カバー５２の下面（内面）に当接しながら、カバー５２の下面（内面）に沿って往復するようにスライド移動する。
これにより、カバー５２の下面（内面）に付着している付着物（酸溶液）が、ワイパー５６の摺接部５６２によって除去される（拭き取られる）。
次いで、変位制御部５８１は、図２Ａに示すように、カバー５２をスライド移動させて閉状態に位置させる（ステップＳ１０５）。
【００７６】
そして、カウント制御部５８２は、変位制御部５８１によるカバー５２及び移動棒５３１の動作の制御に基づいて、拭き取り動作の回数（付着物が除去された回数）をカウントする。カウント制御部５８２がカウントする拭き取り動作の回数（累積回数）が、閾値を超えない間は（ステップＳ１０６でＮＯ）、上記したステップＳ１０１からステップＳ１０５までの処理が繰り返される。
【００７７】
カウント制御部５８２がカウントする拭き取り動作の回数が、閾値を超える所定回数となると（ステップＳ１０６でＮＯ）、報知制御部５８３は、表示部５７において、摺接部５６２の交換時期である旨を報知する（ステップＳ１０７）。
そして、表示部５７を確認したユーザは、古い摺接部５６２を取付部５６１から取り外し、新しい摺接部５６２を取付部５６１に取り付ける。
【００７８】
５．作用効果
（１）本実施形態によれば、図１に示すように、全有機体炭素測定装置１のサンプラ５は、ワイパー５６を備える。全有機体炭素測定装置１において測定動作が繰り返されると、ワイパー５６がカバー５２の内面に沿って摺接される。そして、カバー５２に付着した付着物（酸溶液）がワイパー５６によって除去される。
【００７９】
そのため、ワイパー５６によってカバー５２の内面に付着する付着物を容易に除去できる。
その結果、全有機体炭素測定装置１において、付着物が測定に悪影響を及ぼすことを抑制でき、測定精度が低下することを抑制できる。
【００８０】
（２）また、本実施形態によれば、サンプラ５は、図２Ｃに示すように、カバー５２が開状態のときに移動棒５３１を動作させてワイパー５６を変位させれば当該ワイパー５６がカバー５２の下面（内面）に摺接し、図２Ａに示すように、カバー５２が閉状態のときに移動棒５３１を動作させてワイパー５６を変位させても当該ワイパー５６がカバー５２の下面（内面）に摺接しない構成となっている。
【００８１】
そのため、カバー５２の開閉動作と、ワイパー５６の変位動作とを組み合わせることにより、ワイパー５６をカバー５２の内面に摺接させて、カバー５２内面の付着物を除去できる。
その結果、簡易な動作で、カバー５２内面の付着物を除去できる。
また、カバー５２が開状態のときのみワイパー５６が摺接するため、ワイパー５６の摩耗を抑制できる。
【００８２】
（３）また、本実施形態によれば、制御部５８は、変位制御部５８１を含む。変位制御部５８１は、移動棒５３１を自動で変位させることにより、ワイパー５６をカバー５２の下面（内面）に摺接させる。
【００８３】
そのため、ユーザの作業が煩雑化することを抑制できる。
その結果、作業性が低下することを抑制できる。
【００８４】
（４）また、本実施形態によれば、ワイパー５６は、試料導入機構５３（移動棒５３１）の動作に連動してカバー５２の下面（内面）に摺接する。
【００８５】
そのため、ワイパー５６をカバー５２の下面（内面）に容易に摺接させることができる。
【００８６】
（５）また、本実施形態によれば、図２Ａに示すように、ワイパー５６は、移動棒５３１に取り付けられている。
そのため、ワイパー５６を変位させるための機構を簡易に構成できる。
【００８７】
（６）また、本実施形態によれば、図２Ｂ（累積回数）に示すように、カバー５２は、移動棒５３１の変位方向に沿ってスライドすることにより収容室５１１を開閉する。サンプラ５は、図２Ｃに示すように、カバー５２が開状態のときに移動棒５３１を変位させればワイパー５６がカバー５２の下面（内面）に摺接し、図２Ａに示すように、カバー５２が閉状態のときに移動棒５３１を変位させてもワイパー５６がカバー５２の下面（内面）に摺接しない構成となっている。
【００８８】
そのため、カバー５２のスライド動作と、ワイパー５６の変位動作とを組み合わせることにより、ワイパー５６をカバー５２の下面（内面）に摺接させて、カバー５２内面の付着物を除去できる。
その結果、簡易な動作で、カバー５２内面の付着物を除去できる。
また、カバー５２が開状態のときのみワイパー５６が摺接するため、ワイパー５６の摩耗を抑制できる。
【００８９】
（７）また、本実施形態によれば、制御部５８は、カウント制御部５８２及び報知制御部５８３を含む。カウント制御部５８２は、ワイパー５６がカバー５２の下面（内面）に摺接して付着物を除去した回数（拭き取り動作の回数）をカウントする。報知制御部５８３は、カウント制御部５８２によりカウントされた回数に基づいて報知を行う。具体的には、報知制御部５８３は、カウント制御部５８２がカウントする拭き取り動作の回数が、閾値を超える所定回数となると（ステップＳ１０６でＮＯ）、表示部５７において、摺接部５６２の交換時期である旨を報知する（ステップＳ１０７）。
そのため、ワイパー５６のメンテナンス時期を適切に報知できる。具体的には、ワイパー５６の摺接部５６２の交換時期を適切に報知できる。
【００９０】
６．第２実施形態
以下では、図５を用いて、本発明の第２実施形態について説明する。なお、第１実施形態と同様の構成については、上記と同様の符号を用いることにより説明を省略する。
図５は、本発明の第２実施形態に係る全有機体炭素測定装置１の無機体炭素測定装置３及びサンプラ５の構成例を示した平面図である。
第２実施形態では、ワイパー５６は、試料導入機構５３の移動棒５３１には、取り付けられておらず、移動部材９０に取り付けられている。
【００９１】
移動部材９０は、試料導入機構５３の移動棒５３１と交差する方向（交差方向）に延びる棒状に形成されている。第２実施形態では、ワイパー５６は、移動部材９０の先端部に取り付けられている。移動部材９０は、移動棒５３１と交差する方向に沿って移動可能に構成されている。第２実施形態では、変位制御部５８１は、検出部８の検出信号に基づいて、移動部材９０の動作を制御している。
【００９２】
そして、サンプラ５では、カバー５２が開状態に位置する状態で、移動部材９０がカバー５２に向かって移動（スライド移動）される。そして、移動部材９０に取り付けられたワイパー５６がカバー５２の下面（内面）に摺接して、カバー５２の付着物が除去される。
【００９３】
このように、第２実施形態では、ワイパー５６は、移動棒５３１とは別部材として構成される移動部材９０に取り付けられる。そして、移動部材９０が移動することによりワイパー５６がカバー５２の下面（内面）に摺接する。
そのため、移動棒５３１を簡易な構成にすることができる。
【００９４】
７．変形例
以上の実施形態では、カバー５２が開状態に位置する状態でワイパー５６が移動することで、ワイパー５６がカバー５２に摺接するとして説明した。しかし、ワイパー５６がカバー５２の近傍に固定配置され、カバー５２が開閉動作を行うことで、ワイパー５６がカバー５２に摺接する構成であってもよい。
【００９５】
また、以上の実施形態では、カバー５２は水平方向に移動するとして説明した。しかし、カバー５２は上下方向に移動する構成であってもよい。
【００９６】
また、以上の実施形態では、ワイパー５６は、無機体炭素測定装置３のサンプラ５に設けられるとして説明した。しかし、ワイパー５６は、全炭素測定装置２のサンプラ４に設けられてもよい。
【符号の説明】
【００９７】
１        全有機体炭素測定装置
２        全炭素測定装置
３        無機体炭素測定装置
５        サンプラ
２１      燃焼部
３１      反応部
５１      試料設置部
５２      カバー
５３      試料導入機構
５４      酸溶液添加部
５６      ワイパー
５８      制御部
５１１    収容室
５３１    移動棒
５６１    取付部
５６２    摺接部
５８１    変位制御部
５８２    カウント制御部
５８３    報知制御部
【図１】
2019074457.tif 000003
【図２Ａ】
2019074457.tif 000004
【図２Ｂ】
2019074457.tif 000005
【図２Ｃ】
2019074457.tif 000006
【図３】
2019074457.tif 000007
【図４】
2019074457.tif 000008
【図５】
2019074457.tif 000009